(57)【要約】【課題】把手製造装置において製造された帯状の把手紐をストックし、ストック量を変更でき、製袋スピードに合わせて製袋機へ送り出すことが可能な把手紐保留装置の提供。【解決手段】帯状の把手紐Ｄが交互に巻回される複数の位置固定ロール２及び移動ロール３を備え、複数の位置固定ロール２は、互いに間隔をあけて、且つ、中心軸を平行にして配置され、複数の移動ロール３は、各位置固定ロール２間の隙間と対応する位置に、位置固定ロール２と平行に配置されると共に、位置固定ロール２に対して接離可能である。【選択図】図５
2017124886.tif 000002
【特許請求の範囲】
【請求項１】
帯状に連続した把手紐を製造する把手製造装置の末端部に設置され、製造された帯状の把手紐をストックする把手紐保留装置であって、前記把手紐が交互に巻回される複数の位置固定ロール及び移動ロールを備え、複数の前記位置固定ロールは、互いに間隔をあけて、且つ、中心軸を平行にして配置され、複数の移動ロールは、各位置固定ロール間の隙間と対応する位置に、前記位置固定ロールと平行に配置されると共に、前記位置固定ロールに対して接離可能であることを特徴とする把手紐保留装置。
【請求項２】
前記位置固定ロールは全て同じ高さに固定的に配置され、全ての移動ロールが同時に昇降して、前記位置固定ロールに対して接離することを特徴とする請求項１に記載の把手紐保留装置。
【発明の詳細な説明】
【技術分野】
【０００１】
本発明は、紙袋の把手紐製造装置において、紐を帯紙に貼り付けて成る把手紐を連続した状態でストックする把手紐保留装置に関する。
【背景技術】
【０００２】
紙袋は、袋本体の上端部に一対の紐を取り付けて把手としてあるが、紙袋に収容した物品の重量で袋本体が破れるのを防ぐために、湾曲した紐の両端部を２枚の補強紙で挟んで成る把手部を袋本体に貼り付けることが多い。
一般的な把手製造装置は、紐を連続的に蛇行させて、湾曲した頂部が両側からはみ出すように帯紙に貼り付け、貼り付けたものを帯紙の中心線に沿って切断して帯状に連続した把手紐を形成する。この把手紐は並設した製袋機に搬送され、製袋機に送られた帯状の把手紐は紐の両側で切断され、得られた把手部が袋本体に取り付けられる。
【０００３】
従来の把手製造装置としては、例えば、特許文献１に記載されたものが知られている。この把手製造装置は、製造された帯状の把手紐を上下に距離をあけて配置したロールに巻回してから製袋機に送り出していた。
しかし、把手製造装置による把手紐の製造スピードと、製袋機における袋本体の製造スピードとは、工程の複雑さの違い等により差異があり、製袋機の製造速度は袋の種類等により変化するので、どうしても必要とさせる把手紐の長さは一定しない。
上記従来の把手製造装置は、上下のロール間に一定長さの把手紐を保持しているだけなので、把手紐の過不足を解消するためには、製袋作業中に把手製造装置の速度を変更したり、何度も把手製造装置の運転を停止しなければならず、生産性が悪かった。
【先行技術文献】
【特許文献】
【０００４】
【特許文献１】特開平１０−０７６５８１号公報
【発明の概要】
【発明が解決しようとする課題】
【０００５】
本発明が解決しようとする課題は、把手製造装置において製造された帯状の把手紐をストックし、そのストック量を必要に応じて変更でき、製袋スピードに合わせて製袋機へ送り出すことが可能な把手紐保留装置を提供することにある。
【課題を解決するための手段】
【０００６】
本発明は、帯状に連続した把手紐を製造する把手製造装置の末端部に設置され、製造された帯状の把手紐をストックする把手紐保留装置に関し、前記把手紐が交互に巻回される複数の位置固定ロール及び移動ロールを備え、複数の前記位置固定ロールは、互いに間隔をあけて、且つ、中心軸を平行に配置され、複数の移動ロールは、各位置固定ロール間の隙間と対応する位置に、前記位置固定ロールと平行に配置されると共に、前記位置固定ロールに対して接離可能である。
前記位置固定ロールは全て同じ高さに固定的に配置され、全ての移動ロールが同時に昇降して、前記位置固定ロールに対して接離することがある。
【発明の効果】
【０００７】
請求項１に係る発明によれば、把手製造装置において製造された帯状の把手紐を、複数の位置固定ロール及び移動ロールに交互に巻き付けて保持するので、多量の把手紐をストックすることが可能であり、しかも、移動ロール移動させるだけでストック量を調整できるので、製袋スピード等に応じて必要な量を製袋機に供することができる。
請求項２に係る発明によれば、ストック量を変更するために移動ロールを移動させるのが容易である。
【図面の簡単な説明】
【０００８】
【図１】本発明の実施例に係る把手製造装置の側面図である。
【図２】本発明の実施例に係る把手紐の平面図である。
【図３】本発明の実施例を示す把手紐保留装置の斜視図である。
【図４】本発明の実施例を示す把手紐保留装置のストック量を少量とした時の側面図である。
【図５】本発明の実施例を示す把手紐保留装置のストック量を多量とした時の側面図である。
【図６】本発明の実施例を示す把手紐保留装置の正面図である。
【発明を実施するための形態】
【０００９】
以下、本発明の実施例を図面に基づいて詳細に説明する。
図１は、本発明に係る把手製造装置Ａを示す。
把手製造装置Ａは、製袋機に並設され、紐引出し装置ａと、紐掛部ｂと、接着部ｃと、切断部ｄと、把手紐保留装置ｅとを備える。
紐引出し装置ａは、ロール状に巻いた把手用の紐Ｂを引き出して紐掛部ｂへ送り込み、紐掛部ｂは、紐Ｂを連続して蛇行した状態で接着部ｃへ案内する。接着部ｃは、長手方向に沿って搬送される２枚の帯紙Ｃの間に蛇行した紐Ｂを挟んで接合し（図２参照）、切断部ｄは、帯紙Ｃを中心線Ｌに沿って切断して、帯状に連続した把手紐Ｄを形成する。把手紐Ｄは、把手紐保留装置ｅにストックしておき、製袋機の生産速度に合わせて、把手搬送装置により把手紐保留装置ｅから製袋機へ搬送される。製袋機へ搬送された把手紐Ｄは紐Ｂの両側の位置Ｗで所定の長さに切断され、袋本体に取り付けられる。
【００１０】
図３に示すように、把手紐保留装置ｅは、切断部ｄの両側に立設された一対の側板１と、側板１の上端部間に配設された三つの位置固定ロール２と、側板１間に配設された二つの移動ロール３と、側板１の下端部間に配設されたガイドロール４とを備える。
両側の側板１の上端部内面には、互いに対向する横枠５が固定され、対向する横枠５に位置固定ロール２の中心軸２ａの両端が取り付けられる。各位置固定ロール２の外周面の軸方向中央には、周方向に沿ってフランジ２ｂが形成されている。
図４及び図５に示すように、三つの位置固定ロール２は、位置固定ロール２の直径よりやや狭い間隔をあけて、且つ、中心軸２ａが平行になるよう全て同じ高さに配置され、その位置を動かずに回転する。
【００１１】
両側の側板１には上下方向に延びるガイド孔６が形成され、側板１の内面には対向する一対の昇降枠７がガイド孔６に沿って摺動可能に設けられる。また、対向する昇降枠７には、移動ロール３の中心軸３ａの両端が取り付けられる。移動ロール３の外周面の軸方向中央には、周方向に沿ってフランジ３ｂが形成されている
移動ロール３は、位置固定ロール２間の隙間の直下に、位置固定ロール２と平行に配置される。そして、昇降枠７の昇降に伴って、全ての移動ロール３が同時に位置固定ロール２に接離する。
【００１２】
昇降枠７を昇降させる手段としては、従来周知の様々な技術が考えられる。
例えば、ガイド孔６に沿って配置した搬送用チェーンに昇降枠７を取り付けたり、昇降枠７に連結したウォームをガイド孔６に沿って配置したラックに噛み合わせたり、モータで駆動される巻取り機に巻き付けたワイヤを昇降枠７に取り付けることができる。
或いは、人手によって昇降枠７をガイド孔６に沿って摺動させ、適当な高さで固定しても良い。
側板１の下端部間には下枠８が架設され、下枠８にガイドロール４が回動自在に取り付けられる。ガイドロール４は、移動ロールの下限位置よりも下方に、位置固定ロール２及び移動ロール３と平行に配置される。
【００１３】
切断部ｄを通過した把手紐Ｄはガイドロール４を通って、一側の位置固定ロール２の外周に上方から巻き付けられ、さらに下方へ延びて、一側の位置固定ロール２と中央の位置固定ロール２との間の下方に配置された移動ロール３に下方から巻き付けられる。
その後、把手紐Ｄは上方へ延びて中央の位置固定ロール２に上方から巻き付けられ、さらに下方へ延びて、中央の位置固定ロール２と他側の位置固定ロール２との間の下方に配置された移動ロール３に下方から巻回される。
次いで、把手紐Ｄは上方へ延びて他側の位置固定ロール２に上方から巻き付けられる。即ち、把手紐Ｄは位置固定ロール２と移動ロール３に交互に巻き付けられる。
【００１４】
切断部ｄを通過する際に、蛇行した紐Ｂが貼着された帯紙Ｃは中心線Ｌに沿って切断され、左右の把手紐Ｄに分離される。そして、図６に示すように、左右の把手紐Ｄはそれぞれ位置固定ロール２のフランジ２ｂ及び移動ロール３のフランジ３ｂの両側に、紐Ｂの頂点を外側に向けて巻き付けられる。
把手紐保留装置ｅに保持された左右の把手紐Ｄは、それぞれ別のルートを通って向きをかえながら把手搬送装置へ送り込まれる。
【００１５】
図４に示すように、昇降枠７を上昇させて、移動ロール３を位置固定ロール２に接近させると、位置固定ロール２と移動ロール３との間の距離が短くなってその外周に交互に巻き付けられた把手紐Ｄのストック量が少なくなる。
一方、図５に示すように、昇降枠７を下降させて、移動ロール３を位置固定ロール２から遠ざけると、位置固定ロール２と移動ロール３との間の距離が長くなってその外周に交互に巻き付けられた把手紐Ｄのストック量が多くなる。
従って、製袋機と把手製造装置Ａとの製造速度の差等に応じて、把手紐保留装置ｅのストック量を容易に調整することができ、ストックされた把手紐Ｄを必要に応じて製袋機へ送ることができる。
【符号の説明】
【００１６】
Ａ    把手製造装置
Ｂ    紐
Ｂ’  紐ロール
Ｃ    帯紙
Ｄ    把手紐
ａ    紐引出し装置
ｂ    紐掛部
ｃ    接着部
ｄ    切断部
ｅ    把手紐保留装置
１    側板
２    位置固定ロール
２ａ  中心軸
２ｂ  フランジ
３    移動ロール
３ａ  中心軸
３ｂ  フランジ
４    ガイドロール
５    横枠
６    ガイド孔
７    昇降枠
８    下枠
【図１】
2017124886.tif 000003
【図２】
2017124886.tif 000004
【図３】
2017124886.tif 000005
【図４】
2017124886.tif 000006
【図５】
2017124886.tif 000007
【図６】
2017124886.tif 000008